(57)【要約】【課題】シンプル設計ながら、容器本体に対する蓋部の密閉を簡便に実現し、製作コストの低減が図れる上、使い勝手がよくて便利な密閉性の高い容器を提供する。【解決手段】シリコーンゴムで形成された容器本体１と、その容器本体１の開口上部４に着脱自在な蓋部５とより成る容器において、前記シリコーンゴム製の容器本体１の上方外周２に、硬い材質の縁部３が外向きに突出して形成されていると共に、前記蓋部５の外周ｋには係止具６が複数形成され、その蓋部５の係止具６が前記容器本体１の硬い縁部３に係止することにより、密閉性を高めたロックが自在に構成されている。【選択図】    図１
2013141983.tif 000002
【特許請求の範囲】
【請求項１】
シリコーンゴムで形成された容器本体と、その容器本体の開口上部に着脱自在な蓋部とより成る容器において、
前記シリコーンゴム製の容器本体の上方外周に、硬い材質の縁部が外向きに突出して形成されていると共に、前記蓋部の外周には係止具が複数形成され、その蓋部の係止具が前記容器本体の硬い縁部に係止することにより、密閉性を高めたロックが自在に構成されていることを特徴とする密閉性の高い容器。
【請求項２】
容器本体の硬い縁部は、ナイロン樹脂で形成されていることを特徴とする請求項１に記載した密閉性の高い容器。
【請求項３】
容器本体は蛇腹状に形成され、上下方向に伸縮自在に構成されていることを特徴とする請求項１又は２に記載した密閉性の高い容器。
【請求項４】
蓋部の係止具には、内向きの爪部が１個又は複数個設けられており、当該爪部が、容器本体の硬い縁部の下端に対しロック自在に構成されていることを特徴とする請求項１〜３のいずれか１項に記載した密閉性の高い容器。
【請求項５】
蓋部の係止具は、蓋部の外周における前後又は左右の対向する２ケ所、若しくは前後左右の４ケ所設けられていることを特徴とする請求項１又は４に記載した密閉性の高い容器。
【請求項６】
蓋部の裏面に、パッキンが容体本体の上端部に対応する位置に埋設されていることを特徴とする請求項１〜５のいずれか１項に記載した密閉性の高い容器。
【発明の詳細な説明】
【技術分野】
【０００１】
本発明は、持ち運びや保存等の取り扱いに便利な密閉性の高い容器の技術分野に属するものである。
【背景技術】
【０００２】
伸縮自在な容器本体と、その蓋体とから成って取り扱いに便利な容器等の容器が種々開発されている。
【０００３】
例えば、下記文献１の特開２００２−５３１７９特許公開公報には、食品を収納保存する容器であって、容体を形成する素材は伸縮自在を可能とする合成樹脂材で成り、かつ容体は、側面が伸縮自在となるジャバラ容体を形成するものとし、該ジャバラ容体には、別体に形成される蓋面に設けられた放出穴の内部に、逆止弁を内蔵した空気排出密閉機構を形成した蓋を、前記ジャバラ容体に組み合わせた構成である伸縮密閉機能付き食品収納容器が開示されている（同公報の請求項１等参照）。
【先行技術文献】
【特許文献】
【０００４】
【特許文献１】特開２００２−５３１７９公開公報
【発明の概要】
【発明が解決しようとする課題】
【０００５】
前記文献１の伸縮密閉機能付き食品収納容器は、蓋面に設けられた放出穴の内部に、逆止弁を内蔵した空気排出密閉機構を形成することにより、蓋体をジャバラ容体に対し密閉することを主とするものである。ジャバラ容体の上端縁に取り付けられた係止板に、蓋の係止具が係止自在となっているが、それは従たるもので、大雑把な構造である。
【０００６】
すなわち、この文献１の食品収納容器は、蓋の密閉状態を確保するために、逆止弁を内蔵した空気排出密閉機構を別途形成する必要があり、部品点数が増え、コスト高にもなる上、取扱い上面倒であるという問題がある。
【０００７】
したがって、本発明の目的は、シンプル設計ながら、容器本体に対する蓋部の密閉度を簡便ながら高められ、製作コストの低減が図れる上、使い勝手がよくて便利な密閉性の高い容器を提供することである。
【課題を解決するための手段】
【０００８】
上記課題を解決するための手段として、請求項１記載の発明の密閉性の高い容器は、シリコーンゴムで形成された容器本体１と、その容器本体１の開口上部４に着脱自在な蓋部５とより成る容器において、
前記シリコーンゴム製の容器本体１の上方外周２に、硬い材質の縁部３が外向きに突出して形成されていると共に、前記蓋部５の外周ｋには係止具６が複数形成され、その蓋部５の係止具６が前記容器本体１の硬い縁部３に係止することにより、密閉性を高めたロックが自在に構成されていることを特徴とする。
【０００９】
請求項２記載の発明の密閉性の高い容器は、前記容器本体１の硬い縁部３が、ナイロン樹脂で形成されていることを特徴とする。
【００１０】
請求項３記載の発明の密閉性の高い容器は、前記容器本体１が蛇腹状に形成され、上下方向に伸縮自在に構成されていることを特徴とする。
【００１１】
請求項４記載の発明の密閉性の高い容器は、前記蓋部５の係止具６に、内向きの爪部７が１個又は複数個設けられており、当該爪部７が、容器本体１の硬い縁部３の下端３０に対しロック自在に構成されていることを特徴とする。
【００１２】
請求項５記載の発明の密閉性の高い容器は、前記蓋部５の係止具６が、蓋部５の外周ｋにおける前後又は左右の対向する２ケ所、若しくは前後左右の４ケ所設けられていることを特徴とする。
【００１３】
請求項６記載の発明の密閉性の高い容器は、前記蓋部５の裏面ｔに、パッキンｐが容体本体１の上端部ｓに対応する位置に埋設されていることを特徴とする。
【発明の効果】
【００１４】
本発明の密閉性の高い容器（請求項１）は、シリコーンゴム製の容器本体の上方外周に、硬い材質の縁部が外向きに突出して形成されていると共に、蓋部の外周には係止具が複数形成されているので、その蓋部の係止具が前記容器本体の硬い縁部に係止することで、密閉度を高めたロックが実現される。しかも、そのようなシンプル設計ゆえ、製作コストの低減にも寄与する。
【００１５】
容器本体の硬い縁部は歪みにくいから、蓋部の係止具がこの硬い縁部にロックされると縁部周辺に隙間が生じることなく、容器本体に収納された内容物が漏れる恐れがないため、弁当箱や食材の保存容器等として使い勝手がよい。
【００１６】
特に請求項２のように、容器本体の硬い縁部は、ナイロン樹脂で形成されているので、蓋部の係止具が当該ナイロン樹脂製の硬い縁部へ堅固にロックされる。
【００１７】
また、容器本体は蛇腹状に形成され、上下方向に伸縮自在に構成されているため（請求項３）、収容する内容物の量に応じて、容器本体を伸縮してコンパクト化又は最大化できる自在性にも優れている。不使用時にはもちろん最小に折り畳んで収納できる。
【００１８】
加えて、蓋部の係止具には、内向きの爪部が設けられており、当該爪部が、容器本体の硬い縁部の下端に対しロック自在に構成されているため（請求項４）、シンプル設計ながら、容器本体に対する蓋部の密閉を簡便かつ確実に実現することができる。
【００１９】
しかも、１つの係止具について爪部を２個等の複数個設けた態様で実施すれば、硬い縁部へのロックがより一層強固に行われる。
【００２０】
また前記蓋部の係止具は、請求項５のように、蓋部の外周における前後又は左右の対向する２ケ所、若しくは前後左右の４ケ所設けられているから、最小単位では相対峙する２ケ所での係止（ロック）で蓋部の密閉を行え、通常前後左右のそれぞれで対峙する合計４ケ所設けた場合、密閉性がより一層高い容器が実現される。
【００２１】
さらに蓋部の裏面において、パッキンが容体本体の上端部に対応する位置に埋設されているため（請求項６）、係止具によって蓋部が容器本体にロックした際、当該パッキンによって密着度がより一層高められる。
【図面の簡単な説明】
【００２２】
【図１】本発明の密閉性の高い容器をなす容器本体と蓋部の離隔状態を示した斜視図である。
【００２３】
【図２】容器本体への蓋部の係止ロック状態を示した斜視図である。
【００２４】
【図３】蓋部を示した斜視図である。
【００２５】
【図４】図３の蓋部の縦断面図である。
【００２６】
【図５】異なる蓋部を下方から示した斜視図である。
【００２７】
【図６】容器本体を示した斜視図である。
【００２８】
【図７】図６の容器本体の縦断面図である。
【００２９】
【図８】図２の容器本体と蓋部の縦断面図である。
【００３０】
【図９】蓋部の係止具が容器本体へロックする前段階を示した部分拡大図である。
【００３１】
【図１０】図９の断面図である。
【００３２】
【図１１】蓋部の係止具のロック状態を示した部分拡大図である。
【００３３】
【図１２】図１１の断面図である。
【００３４】
【図１３】容器本体の収縮状態を示した縦断面図である。
【００３５】
【図１４】蓋部付き容器本体の収縮状態を示した縦断面図である。
【発明を実施するための最良の形態】
【００３６】
本発明の密閉性の高い容器の好適な実施形態を、以下図面にしたがって説明する。なお、本請求項１〜６記載の発明に関する実施の形態は共通しているので、以下のとおり一括して説明する。
【００３７】
この密閉性の高い容器は、図１及び図２に示したように、シリコーンゴムで形成された容器本体１と、その容器本体１の開口上部４に着脱自在な蓋部５とより成るものである。
【００３８】
容器本体１について説明する。
【００３９】
図６〜図８に示したように、上方が開口された有底の容器本体１は、シリコーンゴム製の側壁部（枠体）が、上方から下方にいくに従って複数段階ずつ小さく形成されて蛇腹状に形成され、上下方向（高さ方向）に伸縮自在に形成されている。すなわち、この容器本体１は側壁部をなす５段階の枠体が収縮自在であり、上下の高さ方向に段階的に収縮又は拡大できる構成となっている。図１３及び図１４は、この蛇腹状の容器本体１を高さ方向に最大限縮小した状態と、その際に後述する蓋部５を被せてロックした状態を示している。
【００４０】
このシリコーンゴム製の容器本体１の上方外周２において、硬い縁部３が一体成型されている。本実施形態の場合、ナイロン樹脂で形成された硬い縁部３が、高さが約５ｍｍで外向きに約５ｍｍ突出する枠体状をなしてシリコーンゴム製容器本体１に一体化されている。そして、当該硬い縁部３から３ｍｍ上方に立設する形で、容器本体の上端部ｓが形成されている。
【００４１】
次に、蓋部５について説明する（図３、図４等参照）。
【００４２】
蓋部５は、ポリプロピレン製により、前記容器本体１の上端部ｓに嵌合され、且つ係止具６が容器本体１の硬い縁部３に係止できる大きさ・形状に形成されている。当該蓋部５の裏面ｔには、容体本体１の上端部ｓに対応する位置に溝部８が形成されており、その溝部８に、密着性を高めるパッキンｐが埋設されている。
【００４３】
蓋部５の外周ｋに、容器本体１の硬い縁部３の下端３０に対しロック自在な係止具６が複数形成されている。本実施形態の場合、係止具６は、蓋部５の外周ｋにおける前後で対向する２ケ所と、同外周ｋにおける左右で対向する２ケ所の合計４ケ所設けられている。但し、蓋部５の外周ｋにおける前後又は左右の対向する２ケ所で実施することも可能である（図示は省略）。
【００４４】
係止具６は、基部６０と、同基部６０に連設され且つ内外方向に回動自在な舌状の係止本体６１と、同係止本体６１の中央部を内側方向に打ち抜くことで形成された内向きの爪部７とで構成されている。この爪部７を形成するために打ち抜かれた中央部は、窓部６２として形成されている。
【００４５】
前記内向きの爪部７は、１つの係止具６の係止本体６１において１個形成されている。または、図５に示したように、所望の係止具６の係止本体６１において２個設けて実施する形態も好適に採用される。いずれにしても当該爪部７が、容器本体１の硬い縁部３の下端３０に対しロック自在に構成されている。
【００４６】
したがって、当該容器を密閉するには、蓋体５の溝部８のパッキンｐを容器本体１の上端部ｓに被せて位置決めした後（図２、図９、図１０）、係止具６の爪部７を、硬い縁部３の下端３０に押し込むだけで係止され、確実に密着したロック状態が確保される（図１１、図１２、図８）。
【符号の説明】
【００４７】
１      容器本体
２      上方外周
３      縁部
３０    下端
４      開口上部
５      蓋部
６      係止具
７      爪部
ｋ      外周
ｔ      裏面
ｐ      パッキン
【図１】
2013141983.tif 000003
【図２】
2013141983.tif 000004
【図３】
2013141983.tif 000005
【図４】
2013141983.tif 000006
【図５】
2013141983.tif 000007
【図６】
2013141983.tif 000008
【図７】
2013141983.tif 000009
【図８】
2013141983.tif 000010
【図９】
2013141983.tif 000011
【図１０】
2013141983.tif 000012
【図１１】
2013141983.tif 000013
【図１２】
2013141983.tif 000014
【図１３】
2013141983.tif 000015
【図１４】
2013141983.tif 000016